(57)【要約】【課題】種々のデザインの床板材を能率的に製造可能とする。【解決手段】帯板状のベース板材１０と、同一の形状かつ同一の大きさのものが規則的に複数配設されることによってベース部材の大きさとほぼ同一の大きさとなり得るメイン化粧部材であって、異なる形状及び／又は異なる大きさを有する複数種類のメイン化粧部材からなるメイン化粧部材群（２０Ａ〜２０Ｃ）と、異なる模様及び／又は異なる色彩を有し同一の幅を有する複数種類のサブ化粧部材からなるサブ化粧部材群（３０Ａ〜３０Ｆ）とを有する。そして、メイン化粧部材群から選択されたメイン化粧部材（例えば第１メイン化粧部材２０Ａ）、及び、サブ化粧部材群から選択されたサブ化粧部材（例えば第２サブ化粧部材３０Ｂ）がベース板材１０のおもて面に対して配設されることによって、建築物用の床板材が形成される。【選択図】    図５
2004360264.tif 000002
【特許請求の範囲】
【請求項１】
帯板状のベース板材と、
同一の形状かつ同一の大きさのものが規則的に複数配設されることによって前記ベース部材のおもて面の大きさとほぼ同一の大きさとなり得るメイン化粧部材であって、異なる形状及び／又は異なる大きさを有する複数種類のメイン化粧部材からなるメイン化粧部材群と、
異なる模様及び／又は異なる色彩を有し同一の幅を有する複数種類のサブ化粧部材からなるサブ化粧部材群とを有し、
前記ベース板材のおもて面の側に対して、前記メイン化粧部材群から選択されたメイン化粧部材、及び、前記サブ化粧部材群から選択されたサブ化粧部材が配設されることによって建築物用の床板材が形成される、
建築物用の床板材セット。
【請求項２】
請求項１に記載の建築物用の床板材セットであって、
前記各メイン化粧部材のうちの前記ベース板材の幅方向に対応する辺の長さは、前記ベース板材のおもて面の幅とほぼ同一又はほぼ半分の寸法であり、
前記各サブ化粧部材の幅は、前記ベース板材のおもて面の幅の１０分の１以下の寸法であり、
前記サブ化粧部材群から選択されたサブ化粧部材が、当該サブ化粧部材の幅方向が前記ベース板材の幅方向に沿うようにして、前記ベース板材のおもて面の側に対して配設される、
建築物用の床板材セット。
【発明の詳細な説明】
【０００１】
【発明の属する技術分野】
本発明は、建築物用の床板材に関するものである。
【０００２】
【従来の技術】
住宅等の建築物における床には、床板材が敷設される場合が多い。
そして、一の部屋には、原則として、同一の大きさ及び同一の形態を有する複数の床板材が整列状態で敷設されるのが一般的である。
【０００３】
【発明が解決しようとする課題】
ところで、近年、床のデザインについても注目されている。
そして、各種のデザインの床が形成されるためには、次のようにされている。すなわち、所定の美的創作が行われたデザインを有するとともに同一の大きさを有する複数の床板材が、各々一から製造され、その床板材が整列状態で敷設される。
【０００４】
しかしながら、上述のように所定のデザインを有する各床板材が１つのデザインごとに各々一から製造されるのでは、その製造の能率が向上しない。
特に、多くのデザインの床板材を製造する際には、その非能率が顕著となる。
【０００５】
そこで、本発明は、種々のデザインの床板材を能率的に製造することができる技術を提供することを課題とする。
【０００６】
【課題を解決するための手段】
上記の課題を解決するために、請求項１に係る発明は、帯板状のベース板材と、同一の形状かつ同一の大きさのものが規則的に複数配設されることによって前記ベース部材のおもて面の大きさとほぼ同一の大きさとなり得るメイン化粧部材であって、異なる形状及び／又は異なる大きさを有する複数種類のメイン化粧部材からなるメイン化粧部材群と、異なる模様及び／又は異なる色彩を有し同一の幅を有する複数種類のサブ化粧部材からなるサブ化粧部材群とを有し、前記ベース板材のおもて面の側に対して、前記メイン化粧部材群から選択されたメイン化粧部材、及び、前記サブ化粧部材群から選択されたサブ化粧部材が配設されることによって建築物用の床板材が形成される、建築物用の床板材セットである。
【０００７】
この発明の建築物用の床板材セットでは、複数種類のメイン化粧部材からなるメイン化粧部材群から選択されたメイン化粧部材、及び、複数種類のサブ化粧部材からなるサブ化粧部材群から選択されたサブ化粧部材がベース部材のおもて面に対して配設される。
ここで、メイン化粧部材群は、複数種類のメイン化粧部材（すなわち、異なる形状及び／又は異なる大きさを有するメイン化粧部材）からなり、同一種類（すなわち、同一の形状かつ同一の大きさ）の複数のメイン化粧部材が規則的に配設されることによってベース板材とほぼ同一の大きさとなり得る。
また、サブ化粧部材群は、複数種類のサブ化粧部材（すなわち、異なる模様及び／又は異なる色彩を有するサブ化粧部材）からなる。
このため、メイン化粧部材群からいずれのメイン化粧部材を選択するか、及び、サブ化粧部材群からいずれのサブ化粧部材を選択するかによって、種々の模様及び／又は色彩の建築物用の床板材が形成され得る。
こうして、この発明の建築物用の床板材セットでは、種々のデザインの床板材が容易に形成される。
【０００８】
ここで、「同一の形状かつ同一の大きさのものが規則的に複数配設されることによって前記ベース部材のおもて面の大きさとほぼ同一の大きさとなり得るメイン化粧部材であって、」には、「同一の形状かつ同一の大きさのものが規則的に複数配設されることによって前記ベース部材のおもて面の大きさと同一の大きさとなり得るメイン化粧部材であって、」も含まれる。
その際は、前述したように複数種類のメイン化粧部材からなるメイン化粧部材群から選択されたメイン化粧部材がベース部材のおもて面に対して配設された後に、そのメイン化粧部材のうちの一部（サブ化粧部材が配設される部分）が除去され、その後に、当該除去された部分に、複数種類のサブ化粧部材からなるサブ化粧部材群から選択されたサブ化粧部材が配設される。
【０００９】
また、「前記ベース部材のおもて面の大きさと（ほぼ）同一の大きさとなり得る」には、ベース板材のおもて面の側に対してメイン化粧部材等が配設された後に、ベース板材の一部が削除される場合においては、「その削除された後の状態のおもて面の大きさと（ほぼ）同一の大きさとなり得る」という態様も含まれる。
【００１０】
請求項１に係る発明に関連する発明として、次の発明が考えられる。
「帯板状のベース板材と、
同一の形状かつ同一の大きさのものが規則的に複数配設されることによって前記ベース部材のおもて面の大きさとほぼ同一の大きさとなり得るメイン化粧部材であって、異なる形状及び／又は異なる大きさを有する複数種類のメイン化粧部材からなるメイン化粧部材群と、
異なる模様及び／又は異なる色彩を有し同一の幅を有する複数種類のサブ化粧部材からなるサブ化粧部材群とを有し、
前記ベース板材のおもて面の側に対して、前記メイン化粧部材群から選択された１種類のメイン化粧部材、及び、前記サブ化粧部材群から選択された１種類のサブ化粧部材が配設されることによって建築物用の床板材が形成される、
建築物用の床板材セット。」
ここで、「１種類のメイン化粧部材」「１種類のサブ化粧部材」は、ともに、全く同一のメイン／サブ化粧部材が配設されるのを意味する場合に限らず一定の同一性を有するメイン／サブ化粧部材が配設される場合も含まれる。
【００１１】
請求項２に係る発明は、請求項１に係る発明の建築物用の床板材セットであって、前記各メイン化粧部材のうちの前記ベース板材の幅方向に対応する辺の長さは、前記ベース板材のおもて面の幅とほぼ同一又はほぼ半分の寸法であり、前記各サブ化粧部材の幅は、前記ベース板材のおもて面の幅の１０分の１以下の寸法であり、前記サブ化粧部材群から選択されたサブ化粧部材が、当該サブ化粧部材の幅方向が前記ベース板材の幅方向に沿うようにして、前記ベース板材のおもて面の側に対して配設される、建築物用の床板材セットである。
【００１２】
この発明の建築物用の床板材セットでは、請求項１に係る発明の建築物用の床板材セットの作用効果に加えて、次の作用効果が得られる。
すなわち、各メイン化粧部材のうちのベース板材の幅方向に対応する辺の長さは、ベース板材のおもて面の幅とほぼ同一又はほぼ半分の寸法である一方、各サブ化粧部材の幅がベース板材のおもて面の幅の１０分の１以下という寸法であって、当該サブ化粧部材は、その幅方向がベース板材の幅方向に沿うように配設される。
このため、両者がベース板材に配設されて形成された床板材は、メイン化粧部材（又はその集合体）は幅広であり、サブ化粧部材は幅細である、という外観を呈することとなる。
このため、この発明の建築物用の床板材セットでは、そのコントラストによって斬新な印象を看者に与えるとともに、かかるコントラストを有する床板材であって種々のデザインを有するものが、容易に形成され得るのである。
【００１３】
ここで、「ほぼ同一又はほぼ半分の寸法」については、請求項１に係る発明の場合と同様に、「同一又は半分の寸法」が含まれる。
【００１４】
【発明の実施の形態】
［実施形態１］
次に、本発明の実施形態１について、図面に基づいて説明する。
この建築物用の床板材セットは、ベース板材１０（図１），メイン化粧部材群（２０Ａ〜２０Ｃ）（図２），サブ化粧部材群（３０Ａ〜３０Ｆ）（図３，図４）等によって形成される。
【００１５】
図１に示すように、ベース板材１０は、合板によって形成されており、帯板状をしている。
【００１６】
図２に示すように、メイン化粧部材群（２０Ａ〜２０Ｃ）には、第１メイン化粧部材２０Ａ，第２メイン化粧部材２０Ｂ，第３メイン化粧部材２０Ｃがある。
各メイン化粧部材２０Ａ〜２０Ｃは、桜，楓，樺等の色の薄い木材によって形成されている。
【００１７】
図２（ａ）に示すように、第１メイン化粧部材２０Ａは、細長い長方形状（帯板状）をしている。第１メイン化粧部材２０Ａの短辺の長さは、ベース板材１０の幅の半分とほぼ同一の寸法（若干短い寸法）とされている。正確には、第１メイン化粧部材２０Ａの短辺の長さは、ベース板材１０の幅の半分からサブ化粧部材（３０Ａ〜３０Ｆ）の幅を減じた長さとされている。一方、第１メイン化粧部材２０Ａ（一般の第１メイン化粧部材２０Ａ）の長辺の長さは、ベース板材１０の長さの１／３の寸法とされている。
そして、第１メイン化粧部材２０Ａが２列に並べられかつ自身の長さ方向に３枚連続するように配設されることによって、ベース板材１０とほぼ同一の大きさとなり得る（図５及び図７参照）。
なお、ベース板材１０の長さ方向の端部のために、半分の長さのもの（第１メイン化粧部材２０Ａｈ）も用意されている（図５及び図７参照）。
【００１８】
図２（ｂ）に示すように、第２メイン化粧部材２０Ｂは、長方形状をしている。長辺の長さは短辺の長さの２倍の寸法とされている。長辺の長さは、ベース板材１０の幅とほぼ同一の寸法（若干短い寸法）とされている。正確には、長辺の長さは、ベース板材１０の幅からサブ化粧部材（３０Ａ〜３０Ｆ）の幅を減じた長さとされている。
そして、２つの第２メイン化粧部材２０Ｂが並べられることによって正方形状をなし、それがベース板材１０の長さ方向に並べられるように配設されることによって、ベース板材１０とほぼ同一の大きさとなり得る（図１２及び図１３参照）。
【００１９】
図２（ｃ）に示すように、第３メイン化粧部材２０Ｃは、正方形状をしている。その両辺の長さは、ベース板材１０の幅より若干短い寸法とされている。正確には、各辺の長さは、ベース板材１０の幅からサブ化粧部材（３０Ａ〜３０Ｆ）の幅を減じた長さとされている。
そして、ベース板材１０の長さ方向に並べられるように配設されることによって、ベース板材１０とほぼ同一の大きさとなり得る（図１４及び図１５参照）。
【００２０】
図３及び図４に示すように、サブ化粧部材群（３０Ａ〜３０Ｆ）には、第１サブ化粧部材３０Ａ，第２サブ化粧部材３０Ｂ，第３サブ化粧部材３０Ｃ，…，第６サブ化粧部材３０Ｆがある。
第１サブ化粧部材３０Ａ〜第６サブ化粧部材３０Ｆは、同一の大きさの棒状（幅細の帯板状）をしている。各サブ化粧部材３０Ａ〜３０Ｆの長さは、ベース板材１０の長さと同一の寸法とされており、各サブ化粧部材３０Ａ〜３０Ｆの幅は、ベース板材１０の幅の１０分の１以下の寸法とされている。
【００２１】
図３（ａ）に示すように、第１サブ化粧部材３０Ａは、ブビンカ，ブラックウォルナット，花梨，ローズウッド等の色の濃い木材によって形成されている。
図４（ａ）に示すように、第４サブ化粧部材３０Ｄは、桜，楓，樺等の色の薄い木材によって形成されている。
【００２２】
図３（ｂ）に示すように、第２サブ化粧部材３０Ｂは、その本体部３２が、ブビンカ，ブラックウォルナット，花梨，ローズウッド等の色の濃い木材によって形成されているとともに、所定の間隔を隔てて、木片３４が設けられている。
すなわち、本体部３２には所定の間隔ごとに凹部３３が形成され、その凹部３３に木片３４が埋め込まれている。各木片３４の間隔（第２サブ化粧部材３０Ｂの長さ方向において対応する端部同士の間隔）は、ベース板材１０の幅と同一である（図１２及び図１４参照）。木片３４は、桜，楓，樺等の色の薄い木材によって形成されている。
こうして、第２サブ化粧部材３０Ｂは、全体として濃い色を有するとともに、所定の間隔を隔てて色の薄い部分を有している。
なお、第２サブ化粧部材３０Ｂには、木片３４の位置によって、２種類のものがある（第２サブ化粧部材３０Ｂａ，３０Ｂｂ）。
【００２３】
図３（ｃ）に示すように、第３サブ化粧部材３０Ｃは、第２サブ化粧部材３０Ｂとほぼ同様の構造を有しているが、木片３４の間隔が短くされている（第２サブ化粧部材３０Ｂの場合の半分である）。各木片３４の間隔（第３サブ化粧部材３０Ｃの長さ方向において対応する端部同士の間隔）は、ベース板材１０の幅の半分の寸法である。
【００２４】
図４（ｂ）に示すように、第５サブ化粧部材３０Ｅ（３０Ｅａ，３０Ｅｂ）は、第２サブ化粧部材３０Ｂ（３０Ｂａ，３０Ｂｂ）の色の濃さを反転させた構造を有している。
すなわち、第５サブ化粧部材３０Ｅの本体部３２は、桜，楓，樺等の色の薄い木材によって形成されており、木片３４は、ブビンカ，ブラックウォルナット，花梨，ローズウッド等の色の濃い木材によって形成されている。
【００２５】
図４（ｃ）に示すように、第６サブ化粧部材３０Ｆは、第３サブ化粧部材３０Ｃの色の濃さを反転させた構造を有している。
すなわち、第６サブ化粧部材３０Ｆの本体部３２は、桜，楓，樺等の色の薄い木材によって形成されており、木片３４は、ブビンカ，ブラックウォルナット，花梨，ローズウッド等の色の濃い木材によって形成されている。
【００２６】
また、上述の各メイン化粧部材２０Ａ〜２０Ｃ及び各サブ化粧部材３０Ａ〜３０Ｆに付随して、幅方向サブ化粧部材４０（図１２，図１４参照）も用意されている。
幅方向サブ化粧部材４０は、棒状（幅細の帯板状）をしており、その長さは、ベース板材１０（図１）の幅とほぼ同一の（若干短い）寸法とされている。また、その幅は、各サブ化粧部材３０Ａ〜３０Ｆ（図３，図４）の幅と同一の寸法とされている。
また、図１２及び図１４等には、幅方向サブ化粧部材４０として、ブビンカ，ブラックウォルナット，花梨，ローズウッド等の色の濃い木材によって形成されているものが図示されているが、桜，楓，樺等の色の薄い木材によって形成されているものも用意されている。
【００２７】
次に、上述の建築物用の床板材セットの使用方法及び作用効果について説明する。
上述のメイン化粧部材群（２０Ａ〜２０Ｃ）（図２）から１種類のメイン化粧部材を選択し、上述のサブ化粧部材群（３０Ａ〜３０Ｆ）（図３，図４）から１種類のサブ化粧部材を選択する。
そして、その同一種類の複数のメイン化粧部材（２０Ａ〜２０Ｃ）、及び、その同一種類の複数のサブ化粧部材（３０Ａ〜３０Ｆ）を、ベース板材１０（図１）のおもて面に対して配設する。なお、必要に応じて、幅方向サブ化粧部材４０（図１２，図１４）も配設する。
こうして、１種類の床板材が形成される。それが複数個敷設されることによって、所定の外観の床面が形成される。
【００２８】
例えば、メイン化粧部材群（２０Ａ〜２０Ｃ）から第１メイン化粧部材２０Ａを選択し、サブ化粧部材群（３０Ａ〜３０Ｆ）から第２サブ化粧部材３０Ｂを選択した場合は、次のようになる。
【００２９】
すなわち、図５（ａ）に示すように、ベース板材１０の長さ方向に各部材２０Ａ，３０Ｂの長さ方向を沿わせ、ベース板材１０の幅方向に各部材２０Ａ，３０Ｂの幅方向を沿わせつつ、ベース板材１０の幅方向には、第１メイン化粧部材２０Ａ，第２サブ化粧部材３０Ｂａ（３０Ｂ），第１メイン化粧部材２０Ａ，第２サブ化粧部材３０Ｂｂ（３０Ｂ）の順に各部材を配設する。
第１メイン化粧部材２０Ａは、ベース板材１０の長さ方向に沿って連続的に複数配設する。また、一方の第１メイン化粧部材２０Ａの列と他方の第１メイン化粧部材２０Ａの列とは、第１メイン化粧部材２０Ａの長さの半分の長さだけ位相がずれるように配設する。そのために、適宜、半分の長さの第１メイン化粧部材２０Ａｈを使用する。
【００３０】
こうして、図５（ｂ）のような床板材が形成される。
なお、その後、適宜、その床板材（ベース板材１０）の長さ方向に延びる幅方向の一縁部（その厚み部分）に凸部（図示省略）が形成され、他縁部（その厚み部分）に凹部（図示省略）が形成される。また、その床板材の少なくともおもて面に対して、透明又は透視性を有する塗料によって塗装が行われる。
上述のようにベース板材１０の一縁部／他縁部に凸部／凹部が形成される場合には、各メイン化粧部材２０Ａ〜２０Ｃ（図２）及び各サブ化粧部材群３０Ａ〜３０Ｆ（図３，図４）のベース板材（図１）に対する大きさ（前述）は、その凸部及び凹部（特に凸部）が形成された状態におけるベース板材１０のおもて面の大きさに対するものとされる（後述の実施形態２の変形例を参照）。
これらのことは、他の場合においても同様である。
【００３１】
そして、その複数の床板材がその幅方向に整列状態で敷設されることによって、図７のような床面が形成される。なお、その敷設の際、上述のように床板材の一縁部／他縁部に凸部／凹部が形成されている場合は、その凸部が凹部に嵌合するようにされる。
【００３２】
上述の変形例として、一方の第１メイン化粧部材２０Ａの列と他方の第２メイン化粧部材２０Ｂの列とは、同一の位相となるように配設してもよい。
また、第２サブ化粧部材３０Ｂ（３０Ｂａ，３０Ｂｂ）としては、１種類のもの（第２サブ化粧部材３０Ｂａ又は第２サブ化粧部材３０Ｂｂ）を使用してもよい。
【００３３】
上述のパターンにおいて、サブ化粧部材群（３０Ａ〜３０Ｆ）（図３及び図４）から、第２サブ化粧部材３０Ｂの代わりに第１サブ化粧部材３０Ａを選択することによって、図６のような床面が形成される。
また、第２サブ化粧部材３０Ｂの代わりに第４サブ化粧部材３０Ｄを選択することによって、図９のような床面が形成される。
また、第２サブ化粧部材３０Ｂの代わりに第３サブ化粧部材３０Ｃを選択することによって、図８のような床面が形成される。
また、第２サブ化粧部材３０Ｂの代わりに第５サブ化粧部材３０Ｅを選択することによって、図１０のような床面が形成される。
また、第２サブ化粧部材３０Ｂの代わりに第６サブ化粧部材３０Ｆを選択することによって、図１１のような床面が形成される。
【００３４】
また、メイン化粧部材群（２０Ａ〜２０Ｃ）（図２）から第２メイン化粧部材２０Ｂを選択し、サブ化粧部材群（３０Ａ〜３０Ｆ）（図３，図４）から第２サブ化粧部材３０Ｂａを選択した場合は、例えば、次のようになる。
【００３５】
すなわち、図１２（ａ）に示すように、２枚の第２メイン化粧部材２０Ｂをその幅方向に並べて１組として、それと幅方向サブ化粧部材４０とを交互に、ベース板材１０の長さ方向に、各々複数配設する。それらは、ベース板材１０の長さ方向に延びる幅方向の一縁部の側に寄せるようにして配設する。
その際、ベース板材１０の基端部から先端部に向かうにつれて、奇数番目の第２メイン化粧部材２０Ｂの組については、各第２メイン化粧部材２０Ｂの長辺の方向がベース板材１０の幅方向に沿うように配設する。これによって、ベース板材１０の幅方向に沿って筋目が生ずる。
一方、ベース板材１０の基端部から先端部に向かうにつれて、偶数番目の第２メイン化粧部材２０Ｂの組については、各第２メイン化粧部材２０Ｂの長辺の方向がベース板材１０の長さ方向に沿うように配設する。これによって、ベース板材１０の長さ方向に沿って筋目が生ずる。
また、ベース板材１０の長さ方向に延びる幅方向の他縁部の側には、ベース板材１０の長さ方向に沿って、第２サブ化粧部材３０Ｂａを配設する。
【００３６】
こうして、図１２（ｂ）のような床板材が形成される。
そして、その複数の床板材がその幅方向に整列状態で敷設されることによって、図１３のような床面が形成される。
【００３７】
上述のパターンにおいて、サブ化粧部材群（３０Ａ〜３０Ｆ）（図３及び図４）から、第２サブ化粧部材３０Ｂａの代わりに、その他のサブ化粧部材（３０Ａ〜３０Ｆ）を選択することによって、図示はしないが、種々の床面が形成される。
【００３８】
また、メイン化粧部材群（２０Ａ〜２０Ｃ）（図２）から第３メイン化粧部材２０Ｃを選択し、サブ化粧部材群（３０Ａ〜３０Ｆ）（図３，図４）から第２サブ化粧部材３０Ｂａを選択した場合は、例えば、次のようになる。
【００３９】
すなわち、図１４（ａ）に示すように、第３メイン化粧部材２０Ｃと幅方向サブ化粧部材４０とを交互に、ベース板材１０の長さ方向に、各々複数配設する。それらは、ベース板材１０の長さ方向に延びる幅方向の一縁部の側に寄せるようにして配設する。
また、ベース板材１０の長さ方向に延びる幅方向の他縁部の側には、ベース板材１０の長さ方向に沿って、第２サブ化粧部材３０Ｂａ（３０Ｂ）を配設する。
【００４０】
こうして、図１４（ｂ）のような床板材が形成される。
そして、その複数の床板材がその幅方向に整列状態で敷設されることによって、図１５のような床面が形成される。
【００４１】
上述のパターンにおいて、サブ化粧部材群（３０Ａ〜３０Ｆ）（図３及び図４）から、第２サブ化粧部材３０Ｂａの代わりに、その他のサブ化粧部材（３０Ａ〜３０Ｆ）を選択することによって、図示はしないが、種々の床面が形成される。
【００４２】
以上のように、この建物用の床板材セットでは、メイン化粧部材群（２０Ａ〜２０Ｃ）（図２）からいずれのメイン化粧部材を選択するか、及び、サブ化粧部材群（３０Ａ〜３０Ｆ）（図３，図４）からいずれのサブ化粧部材を選択するかによって、すなわち、その組み合わせによって、種々のデザイン（模様及び／又は色彩）の建築物用の床板材が形成され得る。そして、種々のデザインの床面が形成され得る。
こうして、この建築物用の床板材セットでは、種々のデザインの床板材、ひいては種々のデザインの床面が、容易に形成される。
【００４３】
また、この建築物用の床板材セットでは、各メイン化粧部材２０Ａ〜２０Ｃ（図２）のうちのベース板材１０（図１）の幅方向に対応する辺の長さは、ベース板材１０のおもて面の幅とほぼ同一又はほぼ半分の寸法である一方、各サブ化粧部材３０Ａ〜３０Ｆ（図３，図４）の幅がベース板材１０のおもて面の幅の１０分の１以下という寸法であって、各サブ化粧部材３０Ａ〜３０Ｆは、その幅方向がベース板材１０の幅方向に沿うように配設される。
このため、両者がベース板材１０に配設されて形成された床板材は、メイン化粧部材２０Ａ〜２０Ｃの集合体は幅広であり、サブ化粧部材３０Ａ〜３０Ｆは幅細である、という外観を呈することとなり、そのコントラストによって看者に対して斬新な印象を看者に与えることができる。
【００４４】
［実施形態２］
次に、本発明の実施形態２について、実施形態１との相違点を中心に説明する。
実施形態２における建築物用の床材セットでは、各メイン化粧部材２０Ａ〜２０Ｃの大きさが、実施形態１の場合と若干相違している。
【００４５】
第１メイン化粧部材２０Ａ（図２（ａ））は、細長い長方形状（帯板状）をしており（このことは実施形態１と同様）、その短辺の長さは、ベース板材１０の幅の半分と同一の寸法とされている。そして、第１メイン化粧部材２０Ａが２列に並べられかつ自身の長さ方向に３枚連続するように配設されることによって、ベース板材１０と同一の大きさとなり得る。
【００４６】
第２メイン化粧部材２０Ｂ（図２（ｂ））は、長辺の長さが短辺の長さの２倍である長方形状をしており（このことは実施形態１と同様）、長辺の長さは、ベース板材１０の幅と同一の寸法とされている。そして、２つの第２メイン化粧部材２０Ｂが並べられることによって正方形状をなし、それがベース板材１０の長さ方向に並べられるように配設されることによって、ベース板材１０と同一の大きさとなり得る。
【００４７】
第３メイン化粧部材２０Ｃ（図２（ｃ））は、正方形状をしており（このことは実施形態１と同様）、その両辺の長さは、ベース板材１０の幅と同一の寸法とされている。そして、ベース板材１０の長さ方向に並べられるように配設されることによって、ベース板材１０と同一の大きさとなり得る。
【００４８】
次に、上述の建築物用の床板材セットの使用方法及び作用効果について説明する。
上述のメイン化粧部材群（２０Ａ〜２０Ｃ）（図２）から１種類のメイン化粧部材を選択し、上述のサブ化粧部材群（３０Ａ〜３０Ｆ）（図３，図４）から１種類のサブ化粧部材を選択する（このことは実施形態１と同様である）。
【００４９】
そして、まず、その同一種類の複数のメイン化粧部材（２０Ａ〜２０Ｃ）をベース板材１０（図１）のおもて面に対して配設する。これによって、ベース板材１０のおもて面の全面が被覆される（図１６（ａ）（ｂ）参照）。
図１６（ａ）（ｂ）には、第１メイン化粧部材２０Ａ又は第２メイン化粧部材２０Ｂが配設された状態が示されている。
【００５０】
次に、そのメイン化粧部材（２０Ａ〜２０Ｃ）の一縁部（ベース板材１０の幅方向に対応する方向における一縁部）に、上述のようにして選択されたサブ化粧部材（３０Ａ〜３０Ｆ）が配設される部分を除去して溝状部を形成する（図１６（ｃ）参照）。溝状部は、ベース板材１０の長さ方向に沿って延びるように形成される。
図１６（ｃ）には、第１メイン化粧部材２０Ａ又は第２メイン化粧部材２０Ｂの一縁部に溝状部３８が形成された状態が示されている。
なお、溝状部の深さは、メイン化粧部材（２０Ａ〜２０Ｃ）の厚さと同一でもよいし、メイン化粧部材（２０Ａ〜２０Ｃ）の厚さより浅くてもよい。同一の場合とは、メイン化粧部材（２０Ａ〜２０Ｃ）の一縁部が削られることを意味する。
図１６（ｃ）には、溝状部３８の深さが第１メイン化粧部材２０Ａ又は第２メイン化粧部材２０Ｂの厚さよりも浅い場合が示されている。
【００５１】
その次に、図１６（ｄ）に示すように、その溝状部３８に、上述のようにして選択された同一種類の複数のサブ化粧部材（３０Ａ〜３０Ｆ）を埋め込む。
なお、図１６（ｃ）（ｄ）のように、溝状部３８の深さがメイン化粧部材（２０Ａ〜２０Ｃ）の厚さよりも浅い場合においては、サブ化粧部材（３０Ａ〜３０Ｆ）の厚みは、その分、メイン化粧部材（２０Ａ〜２０Ｃ）よりも薄く形成される。
【００５２】
また、必要に応じて、上述のようにしてベース板材１０のおもて面に配設されたメイン化粧部材（２０Ａ〜２０Ｃ）のうち、幅方向サブ化粧部材４０（図１２，図１４参照）が配設される部分も除去して溝状部を形成する。そして、その溝状部に、その幅方向サブ化粧部材４０を埋め込む。
【００５３】
こうして、１種類の床板材が形成される。
それが複数個敷設されることによって、所定の外観の床面（図６〜図１１，図１３，図１５）が形成される。
【００５４】
［実施形態２の変形例］
次に、本発明の実施形態２の変形例について、実施形態２との相違点を中心に説明する。
この変形例においては、まず、実施形態２と同様に、その同一種類の複数のメイン化粧部材（２０Ａ〜２０Ｃ）をベース板材（図１）のおもて面に対して配設する。これによって、ベース板材１０のおもて面の全面が被覆される（図１７（ａ）（ｂ）参照）。
図１７（ａ）（ｂ）には、第１メイン化粧部材２０Ａ又は第２メイン化粧部材２０Ｂが配設された状態が示されている。
なお、この変形例においては、後述するようにベース板材１０の一縁部／他縁部に凸部１２ａ／凹部１２ｂが形成されるため（図１７（ｄ）参照）、それら（特に凸部１２ａ）が形成された状態におけるベース板材１０のおもて面の全面が、第１メイン化粧部材２０Ａ又は第２メイン化粧部材２０Ｂによって被覆される。「おもて面の全面」とはそういう意味である。
【００５５】
次に、そのメイン化粧部材（２０Ａ〜２０Ｃ）の縁部（ベース板材１０の幅方向に対応する方向における縁部）以外の部分に、サブ化粧部材（３０Ａ〜３０Ｆ）が配設される部分を除去して溝状部を形成する（図１７（ｃ）参照）。溝状部は、ベース板材１０の長さ方向に沿って延びるように形成される。
図１７（ｃ）には、第１メイン化粧部材２０Ａ又は第２メイン化粧部材２０Ｂの縁部以外の部分（ベース板材１０の幅方向に対応する方向における中央部）に溝状部３９が形成された状態が示されている。
なお、溝状部の深さは、メイン化粧部材（２０Ａ〜２０Ｃ）の厚さと同一でもよいし、メイン化粧部材（２０Ａ〜２０Ｃ）の厚さより浅くてもよい。同一の場合とは、メイン化粧部材（２０Ａ〜２０Ｃ）が分断されることを意味する。
図１７（ｃ）には、溝状部３９の深さが第１メイン化粧部材２０Ａ又は第２メイン化粧部材２０Ｂの厚さよりも浅い場合が示されている。
【００５６】
その次に、図１７（ｄ）に示すように、その溝状部３９に、上述のようにして選択された同一種類の複数のサブ化粧部材（３０Ａ〜３０Ｆ）を埋め込む。
【００５７】
また、必要に応じて、上述のようにしてベース板材１０のおもて面に配設されたメイン化粧部材（２０Ａ〜２０Ｃ）のうち、幅方向サブ化粧部材４０（図１２，図１４参照）が配設される部分も除去して溝状部を形成する。そして、その溝状部に、その幅方向サブ化粧部材４０を埋め込む。
【００５８】
また、その次に、図１７（ｄ）に示すように、ベース板材１０の一縁部（ベース板材１０の長さ方向に延びる幅方向の一縁部）に凸部１２ａを形成し、ベース板材１０の同じく他縁部に凹部１２ｂを形成する。
【００５９】
こうして、１種類の床板材が形成される。
それが複数個敷設されることによって、所定の外観の床面（図６〜図１１，図１３，図１５）が形成される。その敷設の際、隣接する床板材との間においては、凹部１２ｂに凸部１２ａが嵌合するようにされる。
【００６０】
なお、上記のものはあくまで本発明の数例の実施形態にすぎず、当業者の知識に基づいて種々の変更を加えた態様で本発明を実施できることはもちろんである。
【００６１】
例えば、メイン化粧部材としては、第１メイン化粧部材２０Ａ〜第３メイン化粧部材２０Ｃ以外のものが用意されてもよい。
同様に、サブ化粧部材としては、第１サブ化粧部材３０Ａ〜第６サブ化粧部材３０Ｆ以外のものが用意されてもよい。
【図面の簡単な説明】
【図１】本発明の実施形態１の建築物用の床板材セットのうちのベース板材を示す斜視図である。
【図２】本発明の実施形態１の建築物用の床板材セットのうちのメイン化粧部材（第１メイン化粧部材〜第３メイン化粧部材）を各々示す斜視図である。
【図３】本発明の実施形態１の建築物用の床板材セットのうちのサブ化粧部材（第１サブ化粧部材〜第３サブ化粧部材）を各々示す斜視図である。
【図４】本発明の実施形態１の建築物用の床板材セットのうちのサブ化粧部材（第４サブ化粧部材〜第６サブ化粧部材）を各々示す斜視図である。
【図５】本発明の実施形態１の建築物用の床板材セットの使用方法の一例を示す図である。（ａ）は分解斜視図であり、（ｂ）は平面図である。
【図６】本発明の実施形態１の建築物用の床板材セットの使用状態の一例を示す平面図である。
【図７】本発明の実施形態１の建築物用の床板材セットの使用状態の他の一例を示す平面図である。
【図８】本発明の実施形態１の建築物用の床板材セットの使用状態の他の一例を示す平面図である。
【図９】本発明の実施形態１の建築物用の床板材セットの使用状態の他の一例を示す平面図である。
【図１０】本発明の実施形態１の建築物用の床板材セットの使用状態の他の一例を示す平面図である。
【図１１】本発明の実施形態１の建築物用の床板材セットの使用状態の他の一例を示す平面図である。
【図１２】本発明の実施形態１の建築物用の床板材セットの使用方法の他の一例を示す図である。（ａ）は分解斜視図であり、（ｂ）は平面図である。
【図１３】本発明の実施形態１の建築物用の床板材セットの使用状態の他の一例を示す平面図である。
【図１４】本発明の実施形態１の建築物用の床板材セットの使用方法の他の一例を示す図である。（ａ）は分解斜視図であり、（ｂ）は平面図である。
【図１５】本発明の実施形態１の建築物用の床板材セットの使用状態の他の一例を示す平面図である。
【図１６】本発明の実施形態２の建築物用の床板材セットの使用方法（使用工程）の一例を示す図である。
【図１７】本発明の実施形態２の変形例の建築物用の床板材セットの使用方法（使用工程）の一例を示す図である。
【符号の説明】
１０  ベース板材
２０Ａ〜２０Ｃ  第１メイン化粧部材〜第３メイン化粧部材
３０Ａ〜３０Ｆ  第１サブ化粧部材〜第６サブ化粧部材
【図１】
2004360264.tif 000003
【図２】
2004360264.tif 000004
【図３】
2004360264.tif 000005
【図４】
2004360264.tif 000006
【図５】
2004360264.tif 000007
【図６】
2004360264.tif 000008
【図７】
2004360264.tif 000009
【図８】
2004360264.tif 000010
【図９】
2004360264.tif 000011
【図１０】
2004360264.tif 000012
【図１１】
2004360264.tif 000013
【図１２】
2004360264.tif 000014
【図１３】
2004360264.tif 000015
【図１４】
2004360264.tif 000016
【図１５】
2004360264.tif 000017
【図１６】
2004360264.tif 000018
【図１７】
2004360264.tif 000019